【手続補正書】
【提出日】平成17年8月4日(2005.8.4)
【手続補正１】
【補正対象書類名】明細書
【補正対象項目名】特許請求の範囲
【補正方法】変更
【補正の内容】
【特許請求の範囲】
【請求項１】
ＣＤ−ＤＡより高密度なオ−デイオ専用のＤＶＤデイスクであることを特定する情報と、オ−デイオデ−タを含むパツクとによりフオ−マツテイングしたオ−デイオ信号を光デイスクに記録する方法であつて、
前記パツクのユ−ザデ−タ領域に、
オ−デイオ信号が前記ＣＤ−ＤＡの量子化ビツト数１６を超える量子化ビツト数と、前記ＣＤ−ＤＡの標本化周波数４４．１ｋＨｚまたは標本化周波数４８ｋＨｚまたは前記ＣＤ−ＤＡの標本化周波数４４．１ｋＨｚの２倍の標本化周波数８８．２ｋＨｚの一つを選択可能とされた標本化周波数と、により選択的に量子化されて、ハフマン符号又は直交変換・ハフマン符号により符号化されたデ−タを収納し、
その符号化方法をセクタ単位で特定するための符号化ＩＤとして、前記ＤＶＤの各セクタのユ−ザデ−タ領域の所定のサブヘツダに収納されるようにフオ−マツテイングした
オ−デイオ信号を光デイスクに記録する方法。
【請求項２】
請求項１記載のフオ−マツテイング方法によりフオ−マツテイングされて記録されたオ−デイオ専用のＤＶＤデイスクから情報を再生することが可能な光デイスク装置であつて、
前記符号化方法に応じて直交変換・ハフマン符号デコ−ダまたはハフマン符号デコ−ダに再生信号を供給し、前記オ−デイオ信号を復号する手段、
を有している光デイスク装置。
【請求項３】
ＣＤ−ＤＡと、
このＣＤ−ＤＡより高密度なオ−デイオ専用のＤＶＤデイスクであつて、オ−デイオ信号が前記ＣＤ−ＤＡの量子化ビツト数１６を超える量子化ビツト数と、前記ＣＤ−ＤＡの標本化周波数４４．１ｋＨｚまたは標本化周波数４８ｋＨｚまたは前記ＣＤ−ＤＡの標本化周波数４４．１ｋＨｚの２倍の標本化周波数８８．２ｋＨｚの一つを選択可能とされた標本化周波数と、により選択的に量子化され、直交変換・ハフマン符号により符号化されて、ヘツダとユ−ザデ−タとで構成されるパツクの前記ユ−ザデ−タに前記符号化されたデ−タを収納し、その符号化方法をセクタ単位で特定するための符号化ＩＤとして、前記ＤＶＤの各セクタのユ−ザデ−タ領域の所定のサブヘツダに収納されるようにフオ−マテイングされ、このフオ−マツテイングされたデ−タをＤＶＤフオ−マツトとして記録されると共に、当該オ−デイオ専用のＤＶＤデイスクとして識別可能なコ−ドを付して記録されたオ−デイオ専用のＤＶＤデイスクと、
の２種類のデイスクから情報を再生および記録することが可能な光デイスク装置であつて、
装填された光デイスクから読み出された信号に応答するＣＩＲＣ復号用のデコ−ダと、  前記ＣＩＲＣ復号用のデコ−ダの出力信号に応答するＤＶＤデジタルデイスクアンパツキングデコ−ダと、
前記装填された光デイスクの種類が前記オ−デイオ専用のＤＶＤデイスクかＣＤ−ＤＡかを判別する判別手段と、
前記ＣＩＲＣ復号用のデコ−ダ又は前記ＤＶＤデイスクアンパツキングデコ−ダの出力信号に応答する直交変換・ハフマン符号デコ−ダと、
前記判別手段がオ−デイオ専用のＤＶＤデイスクであると判別した場合には、前記直交変換・ハフマン符号デコ−ダに前記アンパツキングデコ−ダの出力信号を供給し、かつ前記直交変換・ハフマン符号デコ−ダをデコ−ドモ−ドに設定し、
前記判別手段がＣＤ−ＤＡであると判別した場合には、前記ＣＩＲＣ復号用のデコ−ダの出力信号を出力するように前記直交変換・ハフマン符号デコ−ダをスル−パスするように設定するモ−ド設定手段と、
を有している光デイスク装置。
【請求項４】
ＣＤ−ＤＡと、
このＣＤ−ＤＡより高密度なオ−デイオ専用のＤＶＤデイスクであつて、オ−デイオ信号が前記ＣＤ−ＤＡの量子化ビツト数１６を超える量子化ビツト数と、前記ＣＤ−ＤＡの標本化周波数４４．１ｋＨｚまたは前記ＣＤ−ＤＡの標本化周波数４４．１ｋＨｚを超える標本化周波数の一方により選択的に量子化され、ハフマン符号により符号化されて、ヘツダとユ−ザデ−タとで構成されるパツクの前記ユ−ザデ−タに前記符号化されたデ−タを収納し、その符号化方法をセクタ単位で特定するための符号化ＩＤとして、前記ＤＶＤの各セクタのユ−ザデ−タ領域の所定のサブヘツダに収納されるようにフオ−マテイングされ、このフオ−マツテイングされたデ−タをＤＶＤフオ−マツトとして記録されると共に、前記オ−デイオ専用のＤＶＤデイスクとして識別可能なコ−ドを付して記録されたオ−デイオ専用のＤＶＤデイスクと、
の２種類のデイスクから情報を再生および記録することが可能な光デイスク装置であつて、
装填された光デイスクから読み出された信号に応答するＣＩＲＣ復号用のデコ−ダと、  前記ＣＩＲＣ復号用のデコ−ダの出力信号に応答するＤＶＤデイスクアンパツキングデコ−ダと、
前記装填された光デイスクの種類が前記オ−デイオ専用のＤＶＤデイスクかＣＤ−ＤＡかを判別する判別手段と、
前記ＣＩＲＣ復号用のデコ−ダ又は前記ＤＶＤデイスクアンパツキングデコ−ダの出力信号に応答するハフマン符号デコ−ダと、
前記判別手段がオ−デイオ専用のＤＶＤデイスクであると判別した場合には、前記ハフマン符号デコ−ダに前記アンパツキングデコ−ダの出力信号を供給し、かつ前記ハフマン符号デコ−ダをデコ−ドモ−ドに設定し、
前記判別手段がＣＤ−ＤＡであると判別した場合には、前記ＣＩＲＣ復号用のデコ−ダの出力信号を出力するように前記ハフマン符号デコ−ダをスル−パスするように設定するモ−ド設定手段と、
を有している光デイスク装置。
【手続補正２】
【補正対象書類名】明細書
【補正対象項目名】０００７
【補正方法】変更
【補正の内容】
【０００７】
【課題を解決するための手段】
上記目的を達成するため、本発明では以下の１）〜４）記載の手段より成る。
すなわち、
１）ＣＤ−ＤＡより高密度なオ−デイオ専用のＤＶＤデイスクであることを特定する情報と、オ−デイオデ−タを含むパツクとによりフオ−マツテイングしたオ−デイオ信号を光デイスクに記録する方法であつて、
前記パツクのユ−ザデ−タ領域に、
オ−デイオ信号が前記ＣＤ−ＤＡの量子化ビツト数１６を超える量子化ビツト数と、前記ＣＤ−ＤＡの標本化周波数４４．１ｋＨｚまたは標本化周波数４８ｋＨｚまたは前記ＣＤ−ＤＡの標本化周波数４４．１ｋＨｚの２倍の標本化周波数８８．２ｋＨｚの一つを選択可能とされた標本化周波数と、により選択的に量子化されて、ハフマン符号又は直交変換・ハフマン符号により符号化されたデ−タを収納し、
その符号化方法をセクタ単位で特定するための符号化ＩＤとして、前記ＤＶＤの各セクタのユ−ザデ−タ領域の所定のサブヘツダに収納されるようにフオ−マツテイングした
オ−デイオ信号を光デイスクに記録する方法。
２）請求項１記載のフオ−マツテイング方法によりフオ−マツテイングされて記録されたオ−デイオ専用のＤＶＤデイスクから情報を再生することが可能な光デイスク装置であつて、
前記符号化方法に応じて直交変換・ハフマン符号デコ−ダまたはハフマン符号デコ−ダに再生信号を供給し、前記オ−デイオ信号を復号する手段、
を有している光デイスク装置。
３）ＣＤ−ＤＡと、
このＣＤ−ＤＡより高密度なオ−デイオ専用のＤＶＤデイスクであつて、オ−デイオ信号が前記ＣＤ−ＤＡの量子化ビツト数１６を超える量子化ビツト数と、前記ＣＤ−ＤＡの標本化周波数４４．１ｋＨｚまたは標本化周波数４８ｋＨｚまたは前記ＣＤ−ＤＡの標本化周波数４４．１ｋＨｚの２倍の標本化周波数８８．２ｋＨｚの一つを選択可能とされた標本化周波数と、により選択的に量子化され、直交変換・ハフマン符号により符号化されて、ヘツダとユ−ザデ−タとで構成されるパツクの前記ユ−ザデ−タに前記符号化されたデ−タを収納し、その符号化方法をセクタ単位で特定するための符号化ＩＤとして、前記ＤＶＤの各セクタのユ−ザデ−タ領域の所定のサブヘツダに収納されるようにフオ−マテイングされ、このフオ−マツテイングされたデ−タをＤＶＤフオ−マツトとして記録されると共に、当該オ−デイオ専用のＤＶＤデイスクとして識別可能なコ−ドを付して記録されたオ−デイオ専用のＤＶＤデイスクと、
の２種類のデイスクから情報を再生および記録することが可能な光デイスク装置であつて、
装填された光デイスクから読み出された信号に応答するＣＩＲＣ復号用のデコ−ダと、  前記ＣＩＲＣ復号用のデコ−ダの出力信号に応答するＤＶＤデジタルデイスクアンパツキングデコ−ダと、
前記装填された光デイスクの種類が前記オ−デイオ専用のＤＶＤデイスクかＣＤ−ＤＡかを判別する判別手段と、
前記ＣＩＲＣ復号用のデコ−ダ又は前記ＤＶＤデイスクアンパツキングデコ−ダの出力信号に応答する直交変換・ハフマン符号デコ−ダと、
前記判別手段がオ−デイオ専用のＤＶＤデイスクであると判別した場合には、前記直交変換・ハフマン符号デコ−ダに前記アンパツキングデコ−ダの出力信号を供給し、かつ前記直交変換・ハフマン符号デコ−ダをデコ−ドモ−ドに設定し、
前記判別手段がＣＤ−ＤＡであると判別した場合には、前記ＣＩＲＣ復号用のデコ−ダの出力信号を出力するように前記直交変換・ハフマン符号デコ−ダをスル−パスするように設定するモ−ド設定手段と、
を有している光デイスク装置。
４）ＣＤ−ＤＡと、
このＣＤ−ＤＡより高密度なオ−デイオ専用のＤＶＤデイスクであつて、オ−デイオ信号が前記ＣＤ−ＤＡの量子化ビツト数１６を超える量子化ビツト数と、前記ＣＤ−ＤＡの標本化周波数４４．１ｋＨｚまたは前記ＣＤ−ＤＡの標本化周波数４４．１ｋＨｚを超える標本化周波数の一方により選択的に量子化され、ハフマン符号により符号化されて、ヘツダとユ−ザデ−タとで構成されるパツクの前記ユ−ザデ−タに前記符号化されたデ−タを収納し、その符号化方法をセクタ単位で特定するための符号化ＩＤとして、前記ＤＶＤの各セクタのユ−ザデ−タ領域の所定のサブヘツダに収納されるようにフオ−マテイングされ、このフオ−マツテイングされたデ−タをＤＶＤフオ−マツトとして記録されると共に、前記オ−デイオ専用のＤＶＤデイスクとして識別可能なコ−ドを付して記録されたオ−デイオ専用のＤＶＤデイスクと、
の２種類のデイスクから情報を再生および記録することが可能な光デイスク装置であつて、
装填された光デイスクから読み出された信号に応答するＣＩＲＣ復号用のデコ−ダと、  前記ＣＩＲＣ復号用のデコ−ダの出力信号に応答するＤＶＤデイスクアンパツキングデコ−ダと、
前記装填された光デイスクの種類が前記オ−デイオ専用のＤＶＤデイスクかＣＤ−ＤＡかを判別する判別手段と、
前記ＣＩＲＣ復号用のデコ−ダ又は前記ＤＶＤデイスクアンパツキングデコ−ダの出力信号に応答するハフマン符号デコ−ダと、
前記判別手段がオ−デイオ専用のＤＶＤデイスクであると判別した場合には、前記ハフマン符号デコ−ダに前記アンパツキングデコ−ダの出力信号を供給し、かつ前記ハフマン符号デコ−ダをデコ−ドモ−ドに設定し、
前記判別手段がＣＤ−ＤＡであると判別した場合には、前記ＣＩＲＣ復号用のデコ−ダの出力信号を出力するように前記ハフマン符号デコ−ダをスル−パスするように設定するモ−ド設定手段と、
を有している光デイスク装置。
【手続補正３】
【補正対象書類名】明細書
【補正対象項目名】００６５
【補正方法】変更
【補正の内容】
【００６５】
【発明の効果】
以上説明したように本発明は、オーディオ専用のＤＶＤであるＤＶＤオーディオディスクであることを特定する情報とオーディオデータを含むパックとを有する光ディスクへの記録方法に特徴があると共に、オ−デイオ信号が前記ＣＤ−ＤＡの量子化ビツト数１６を超える量子化ビツト数と、前記ＣＤ−ＤＡの標本化周波数４４．１ｋＨｚまたは標本化周波数４８ｋＨｚまたは前記ＣＤ−ＤＡの標本化周波数４４．１ｋＨｚの２倍の標本化周波数８８．２ｋＨｚの一つを選択可能とされた標本化周波数と、により選択的に量子化され、セクタ毎にパックのユーザデータに設けたサブヘッダに符号化方法を特定する符号化ＩＤを配置して記録することに特徴を有する。また、その情報を利用して再生する装置に特徴を有するものである。